(57)【要約】【課題】ユーザーの目標とする地理的位置に基づいて関連する広告データを提供することができる広告管理方法とシステムを提供する。【解決手段】その方法はインスタントメッセージクライアントから目標所在地を受信し、該目標所在地にマッチングする広告データを該インスタントメッセージクライアントに送信するステップを含み、そのシステムは広告データを保存するデータベースと、ユーザーの提供する目標位置とマッチングする広告データを決定し、かつこれを受信する所在地マッチングユニットと、該受信した広告データをユーザーに転送する広告転送ユニットとを含む広告管理システムとを含む。【選択図】図１
2009110491.tif 000002
【特許請求の範囲】
【請求項１】
インスタントメッセージクライアントから目標所在地を受信し、
該目標所在地にマッチングする広告データを該インスタントメッセージクライアントに送信するステップを含むことを特徴とする、
位置に基づいたインスタントメッセージ・コミュニケーションネットワークにおける広告管理方法。
【請求項２】
前記インスタントメッセージクライアントに送付する広告データが、スケールレベルもマッチングすることを特徴とする、請求項１に記載の位置に基づいたインスタントメッセージ・コミュニケーションネットワークにおける広告管理方法およびそのシステム。
【請求項３】
前記インスタントメッセージクライアントに送付する広告データが、該インスタントメッセージクライアントのマップ上に表示されることを特徴とする、請求項１に記載の位置に基づいたインスタントメッセージ・コミュニケーションネットワークにおける広告管理方法。
【請求項４】
前記インスタントメッセージクライアントのユーザーが、マップから目標所在地を選択することを特徴とする、請求項１に記載の位置に基づいたインスタントメッセージ・コミュニケーションネットワークにおける広告管理方法。
【請求項５】
前記インスタントメッセージクライアントのユーザーが、マップからスケールレベルを選択することを特徴とする、請求項２に記載の位置に基づいたインスタントメッセージ・コミュニケーションネットワークにおける広告管理方法。
【請求項６】
前記位置に基づいたインスタントメッセージ・コミュニケーションネットワークにおける広告管理方法が、広告掲載者からの広告データを受信し、該広告データを広告データベースに保存するステップをさらに含むことを特徴とする、請求項１に記載の位置に基づいたインスタントメッセージ・コミュニケーションネットワークにおける広告管理方法。
【請求項７】
前記位置に基づいたインスタントメッセージ・コミュニケーションネットワークにおける広告管理方法が、広告掲載者が広告を目立ったものにするためにプライスを提示して競売することを許可するステップをさらに含むことを特徴とする、請求項１に記載の位置に基づいたインスタントメッセージ・コミュニケーションネットワークにおける広告管理方法。
【請求項８】
広告を表示する目標所在地を選択し、
広告を表示するマップのスケールレベルを選択し、
広告プライスを受信し、
広告データを広告管理システムのアップロードするステップを含むことを特徴とする位置に基づいたインスタントメッセージ・コミュニケーションネットワークにおける広告管理方法。
【請求項９】
前記広告プライスが目標所在とスケールレベルに基づくことを特徴とする、請求項８に記載の位置に基づいたインスタントメッセージ・コミュニケーションネットワークにおける広告管理方法。
【請求項１０】
前記広告プライスが広告掲載者同士の競売によって決定することを特徴とする、請求項８に記載の位置に基づいたインスタントメッセージ・コミュニケーションネットワークにおける広告管理方法。
【請求項１１】
インスタントメッセージクライアントのマップ上に表示する所在地とスケールレベルを選択し、
該選択された所在地とスケールレベルにマッチングする広告データを決定し、
該マッチングした広告データを該インスタントメッセージクライアントのユーザーに転送し、
該広告データを該マップ上に表示するステップを含むことを特徴とする位置に基づいたインスタントメッセージ・コミュニケーションネットワークにおける広告管理方法。
【請求項１２】
前記位置に基づいたインスタントメッセージ・コミュニケーションネットワークにおける広告管理方法が、広告掲載者から広告データを受信するステップをさらに含むことを特徴とする、請求項１１に記載の位置に基づいたインスタントメッセージ・コミュニケーションネットワークにおける広告管理方法。
【請求項１３】
前記位置に基づいたインスタントメッセージ・コミュニケーションネットワークにおける広告管理方法が、該広告掲載者から受信した広告データを広告データベースに保存するステップをさらに含むことを特徴とする、請求項１２に記載の位置に基づいたインスタントメッセージ・コミュニケーションネットワークにおける広告管理方法。
【請求項１４】
前記位置に基づいたインスタントメッセージ・コミュニケーションネットワークにおける広告管理方法が、競売に基づいて広告のプライスを決定するステップをさらに含むことを特徴とする、請求項１１に記載の位置に基づいたインスタントメッセージ・コミュニケーションネットワークにおける広告管理方法。
【請求項１５】
広告データを保存するデータベースと、
ユーザーの提供する目標位置とマッチングする広告データを決定し、かつこれを受信する所在地マッチングユニットと、
該受信した広告データをユーザーに転送する広告転送ユニットとを含むことを特徴とする位置に基づいたインスタントメッセージ・コミュニケーションネットワークにおける広告管理システム。
【請求項１６】
前記マッチングする広告データを決定する場合、該目標所在地を有するマップのスケールレベルを利用することを特徴とする、請求項１５に記載の位置に基づいたインスタントメッセージ・コミュニケーションネットワークにおける広告管理システム。
【請求項１７】
前記位置に基づいたインスタントメッセージ・コミュニケーションネットワークにおける広告管理システムが、広告掲載者の提供する目標所在地に基づいてプライスデータを提供する広告プライスシステムをさらに含むことを特徴とする、請求項１５に記載の位置に基づいたインスタントメッセージ・コミュニケーションネットワークにおける広告管理システム。
【請求項１８】
前記位置に基づいたインスタントメッセージ・コミュニケーションネットワークにおける広告管理システムが、広告掲載者から広告データを受信し、かつ該広告データを該広告データベースに保存する広告アップロードユニットをさらに含むことを特徴とする、請求項１５に記載の位置に基づいたインスタントメッセージ・コミュニケーションネットワークにおける広告管理システム。
【請求項１９】
前記プライスユニットが、該刻掲載者が広告の目立つ掲載位置に対して価格を提出して競売することを許可する許可ユニットをさらに含むことを特徴とする、請求項１７に記載の位置に基づいたインスタントメッセージ・コミュニケーションネットワークにおける広告管理システム。
【請求項２０】
前記広告データベースが、広告、広告データ、アカウントデータ、プライスデータ、広告点数回数、マップスケールデータ、もしくはこれらの組み合わせを含むことを特徴とする、請求項１５に記載の位置に基づいたインスタントメッセージ・コミュニケーションネットワークにおける広告管理システム。
【発明の詳細な説明】
【技術分野】
【０００１】
この発明は、コミュニケーションネットワークを利用した一種の通信技術に関し、特にアップロードされた広告をユーザーの必要に応じてユーザーに提供する位置に基づいたインスタントメッセージ・コミュニケーションネットワークにおける広告管理方法およびそのシステムに関する。
【背景技術】
【０００２】
インターネット上の従来の広告はバーナー広告、ポップアップ広告、ホームページに埋め込まれた広告などを含み、ユーザーがウェブサイトを閲覧する場合、ホームページの内容にリンクした広告を調べることができる。
【０００３】
広告を掲載する者にとって言えば、これら広告は恐らくターゲットとなる潜在的なユーザーのみを対象としている点が残念である。例えば、携帯電話機のメーカーが電子関連ウェブサイトにオンライン広告を載せた場合、該電子関連ウェブサイトを閲覧するユーザーは、例えばコンピュータなどのその他電子製品のデータを検索することが多い。よって、広告を掲載する場合、広告の予算を効率のない広告に費やすことになる。
【０００４】
また、従来のオンライン広告の他の方法には、電子メールで広告を発送するという方法が挙げられる。この場合、広告を掲載する者は係る方法を利用して広告を電子メールのメッセージに置き、電子メールのメッセージを異なるアドレスに発送する。但し、電子メールを利用して発送する広告は、スパムメールと見なされる。即ち、ほとんどの電子メールのユーザーは、通常知らないアドレスから発送された電子メールを開かないからである。したがって、電子メールによる広告は、実際には効果がない。
【０００５】
例えば検索エンジンなどの一部のウェブサイトでは、ユーザーの注意力を広告に集めるために、検索のキーワードに関連する広告を検索結果の隣の位置に表示することがある。係る方法は、関連する広告をユーザーに提供するという目的を多少なりとも達成することができる。但し、ユーザーの所在する地理的位置、もしくは目標の地理的位置について特に考慮していない。例えば、ユーザーがメキシコのレストランを検索する場合、恐らくその他の都市、またはその他の州のメキシコレストランを目標とするであろう。よって、広告の効果はさらに縮減する。
【発明の開示】
【発明が解決しようとする課題】
【０００６】
そこで、従来の技術を改良し、ユーザーの目標とする地理的位置に基づいて関連する広告データを提供する方法、及びシステムの開発が望まれている。
【０００７】
この発明は、地理的位置に基づきンスタントメッセージのコミュニケーションネットワークにおいて、ユーザーの必要に応じて広告を提供できる方法、及びシステムであって、かつ異なるタイプのネットワークを利用した異なる電子ユニットであっても柔軟に対応できる、位置に基づいたインスタントメッセージ・コミュニケーションネットワークにおける広告管理方法およびそのシステムを提供することを課題とする。
【課題を解決するための手段】
【０００８】
そこで、本発明者は従来の技術に見られる欠点に鑑み鋭意研究を重ねた結果、インスタントメッセージクライアントから目標所在地を受信し、該目標所在地にマッチングする広告データを該インスタントメッセージクライアントに送信するステップを含む位置に基づいたインスタントメッセージ・コミュニケーションネットワークにおける広告管理方法と、
広告データを保存するデータベースと、ユーザーの提供する目標位置とマッチングする広告データを決定し、かつこれを受信する所在地マッチングユニットと、該受信した広告データをユーザーに転送する広告転送ユニットとを含む広告管理システムとによって、課題を解決できる点に着眼し、係る知見に基づいて本発明を完成させた。
【０００９】
以下、この発明について具体的に説明する。
請求項１に記載する広告管理方法は、インスタントメッセージクライアントから目標所在地を受信し、
該目標所在地にマッチングする広告データを該インスタントメッセージクライアントに送信するステップを含む。
【００１０】
請求項２に記載する広告管理方法は、請求項１におけるインスタントメッセージクライアントに送付する広告データが、スケールレベルもマッチングする。
【００１１】
請求項３に記載する広告管理方法は、請求項１におけるインスタントメッセージクライアントに送付する広告データが、該インスタントメッセージクライアントのマップ上に表示される。
【００１２】
請求項４に記載する広告管理方法は、請求項１におけるインスタントメッセージクライアントのユーザーが、マップから目標所在地を選択する。
【００１３】
請求項５に記載する広告管理方法は、請求項２におけるインスタントメッセージクライアントのユーザーが、マップからスケールレベルを選択する。
【００１４】
請求項６に記載する広告管理方法は、請求項１における広告管理方法が、広告掲載者からの広告データを受信し、該広告データを広告データベースに保存するステップをさらに含む。
【００１５】
請求項７に記載する広告管理方法は、請求項１における広告管理方法が、広告掲載者が広告を目立ったものにするためにプライスを提示して競売することを許可するステップをさらに含む。
【００１６】
請求項８に記載する位置に基づいたインスタントメッセージ・コミュニケーションネットワークにおける広告管理方法は、広告を表示する目標所在地を選択し、
広告を表示するマップのスケールレベルを選択し、
広告プライスを受信し、
広告データを広告管理システムのアップロードするステップを含む。
【００１７】
請求項９に記載する広告管理方法は、請求項８における広告プライスが目標所在とスケールレベルに基づく。
【００１８】
請求項１０に記載する広告管理方法は、請求項８における広告プライスが広告掲載者同士の競売によって決定する。
【００１９】
請求項１１に記載する広位置に基づいたインスタントメッセージ・コミュニケーションネットワークにおける告管理方法は、インスタントメッセージクライアントのマップ上に表示する所在地とスケールレベルを選択し、
該選択された所在地とスケールレベルにマッチングする広告データを決定し、
該マッチングした広告データを該インスタントメッセージクライアントのユーザーに転送し、
該広告データを該マップ上に表示するステップを含む。
【００２０】
請求項１２に記載する広告管理方法は、請求項１１における広告管理方法が、広告掲載者から広告データを受信するステップをさらに含む。
【００２１】
請求項１３に記載する広告管理方法は、請求項１２における広告管理方法が、該広告掲載者から受信した広告データを広告データベースに保存するステップをさらに含む。
【００２２】
請求項１４に記載する広告管理方法は、請求項１１における広告管理方法が、競売に基づいて広告のプライスを決定するステップをさらに含む。
【００２３】
請求項１５に記載するインスタントメッセージ・コミュニケーションネットワークにおける広告管理システムは、広告データを保存するデータベースと、
ユーザーの提供する目標位置とマッチングする広告データを決定し、かつこれを受信する所在地マッチングユニットと、
該受信した広告データをユーザーに転送する広告転送ユニットとを含む。
【００２４】
請求項１６に記載する広告管理システムは、請求項１５におけるマッチングする広告データを決定する場合、該目標所在地を有するマップのスケールレベルを利用する。
【００２５】
請求項１７に記載する広告管理システムは、請求項１５における位置に基づいたインスタントメッセージ・コミュニケーションネットワークにおける広告管理システムが、広告掲載者の提供する目標所在地に基づいてプライスデータを提供する広告プライスシステムをさらに含む。
【００２６】
請求項１８に記載する広告管理システムは、請求項１５における位置に基づいたインスタントメッセージ・コミュニケーションネットワークにおける広告管理システムが、広告掲載者から広告データを受信し、かつ該広告データを該広告データベースに保存する広告アップロードユニットをさらに含む。
【００２７】
請求項１９に記載する広告管理システムは、請求項１７におけるプライスユニットが、該刻掲載者が広告の目立つ掲載位置に対して価格を提出して競売することを許可する許可ユニットをさらに含む。
【００２８】
請求項２０に記載する広告管理システムは、請求項１５における広告データベースが、広告、広告データ、アカウントデータ、プライスデータ、広告点数回数、マップスケールデータ、もしくはこれらの組み合わせを含む。
【発明の効果】
【００２９】
この発明による広告管理方法は、ユーザーの目標とする地理的位置に基づいて関連する広告データを提供することができるため、ユーザーに関連情報の検索における利便性を提供することができるとともに、広告を効率よくユーザーに提供することができるため、広告の付加価値を高め、広告掲載者に効率のよい広告掲載を提供できるという利点を有する。
【００３０】
この発明による広告管理システムは、地理的位置に基づきンスタントメッセージのコミュニケーションネットワークにおいて、ユーザーの必要に応じて広告を提供できるため、上述する利点を有するのみならず、なるタイプのネットワークを利用した異なる電子ユニットであっても柔軟に対応できるという利点を有する。
【発明を実施するための最良の形態】
【００３１】
この発明は、ユーザーの目標とする地理的位置に基づいて関連する広告データを提供する広告管理システムとその方法を提供するものであって、その方法はインスタントメッセージクライアントから目標所在地を受信し、該目標所在地にマッチングする広告データを該インスタントメッセージクライアントに送信するステップを含み、そのシステムは広告データを保存するデータベースと、  ユーザーの提供する目標位置とマッチングする広告データを決定し、かつこれを受信する所在地マッチングユニットと、該受信した広告データをユーザーに転送する広告転送ユニットとを含む広告管理システムとを含む。
【００３２】
また、この発明のシステムにおけるユーザー側の装置がディスクトップタイプのパーソナルコンピュータ、モバイルタイプの装置、パーソナルディジタルアシスト（ＰＤＡ）、携帯電話機を含み、その通信はケーブルネットワーク、インターネット、無線ネットワーク、セルラーネットワーク、ｗｉ−ｆｅネットワーク、もしくはこれらの結合を含む。
係る位置に基づいたインスタントメッセージ・コミュニケーションネットワークにおける広告管理方法及びそのシステムについて、その特徴を説明するために、具体的な実施の形態を挙げ、図面を参照にして以下に詳述する。
【００３３】
図１に、この発明による広告管理システムを開示する。図面によれば、この発明による広告管理システム１００は、広告データベース１１０と所在地マッチングユニット１２０と、広告転送ユニット１３０と、広告アップロード/プライスユニット１４０とを含む。
【００３４】
該広告データベース１１０は、広告、広告データ、アカウントデータ、広告掲載者データ、プライスデータ、広告転送回数、マップスケールレベルデータ、もしくはこれらデータの組み合わせを含む。
【００３５】
該所在地マッチングユニット１２０は、広告データベース１１０に保存された広告と、必要とする所在地及びスケールレベルとをマッチングさせる。
【００３６】
広告転送ユニット１３０は、必要とするインスタントメッセージクライアントにマッチングした広告を表示する。
【００３７】
広告アップロード/プライスユニット１４０は、所在地とマップのスケールレベルに基づいてプライスデータを広告掲載者に提供する。
【００３８】
広告アップロード/プライスユニット１４０も一種のサプライユニットであって、広告掲載者が所在地、スケールレベルに対して競売を行うことを許可し、高い価格を提出した者の広告を最も目に付く方式で表示する。また、広告アップロード/プライスユニット１４０は広告掲載者が広告及び広告データを広告管理システム１００にアップロードする。
【００３９】
図２Ａは、実施例における広告管理システムの説明図である。図２Ｂは実施例において広告の位置付けを行う方法を示したフローチャートである。図面によれば、広告掲載者１５０はマップに表示される所在地とスケールレベルを選択し、選択の先決条件を広告アップロード/プライスユニット１４０に転送する。アップロード/プライスユニット１４０は、広告データベース１１０内のデータを検査して該先決条件にマッチングする広告によってプライスを決定する。広告データベース１１０はプライスデータを広告アップロード/プライスユニット１４０に提供する。次いで、アップロード/プライスユニット１４０は広告掲載者１５０に該プライスを通知する。
【００４０】
図２Ｂに開示する方法２００では、先ずＳ２１０のステップにおいて、広告掲載者が広告を表示する目標所在地を選択し、Ｓ２２０のステップにおいて選択された該所在地に基づき、該広告掲載者が表示する広告についてマップ一スケールレベルを複数選択するか、もしくは最高のスケールレベルを選択する。例えば、実施例において、広告掲載者が表示するマップの最高スケールレベルを選択した場合、ユーザーは該マップを拡大し、該広告にはそれぞれのレベルが表示される。
【００４１】
この発明の他の実施の形態において、広告掲載者が表示する広告の異なるレベルを選択した場合、広告掲載者は広告掲載のコストを低減させることができる。例えば、広告掲載者が、例えば市町村レベルなどのさほど高くないレベルのビュー( view)と、非常に低いレベルの隣接地域のビューを選択した場合、広告掲載者は２つのビューとレベルの費用を支払うだけでよく、２つのレベルの間のすべてのビューの代替とすることができる。
【００４２】
この発明の他の実施の形態において、広告掲載者が表示する広告について単一のビューレベルを選択した場合、該広告はユーザーが該広告にマッチングする所在地とレベルを選択した場合についてのみ表示され、広告のその他全てレベルのスケールレベルにおいては表示されない。この場合、広告掲載のコストを節減することができる。即ち、スケールレベル 一つ分の費用を支払うだけでよい。例えば、ショッピングセンターの小売業者は広告害ショッピングセンターまたは付近の地区のレベルビューに表示するだけでよい。
【００４３】
２３０のステップにおいて、広告掲載者は選択した先決条件について目下の広告プライスを受信する。もしくは、選択した先決条件についてさらに高いプライスを定時して該広告を落札してもよい。この発明の実施例において、広告のプライスは固定されている。
【００４４】
この発明のその他実施の形態において、定価は競売の過程で決定する。その競売の改定は、広告掲載者が人気の有る広告の設置してある所在地が、多くのタイプの広告敬愛者にとって非常に貴重なものであった場合、この実施の形態，において広告掲載者は広告の位置に対して価格を停止してプライスを決定することができ、ユーザーがマッチングする所在地とスケールレベルを選択した場合、価格の最も高い広告掲載者の広告が最も人目を引く方式で表示される。
【００４５】
２４０のステップにおいて、広告掲載者が目下のプライスに同意するか、もしくは最高のプライスで落札した場合、広告掲載者は広告データを広告管理システムにアップロードする。図２Ａに開示するように、このステップは広告掲載者１５０が該広告データを広告アップロード/プライスユニット１４０に転送し、広告アップロード/プライスユニット１４０が該広告データを広告データベース１１０に転送して保存する。
【００４６】
図３Ａは実施例における広告管理システムの説明図である。図３Ｂは実施例における広告マッチング方法を示したフローチャートである。図面によれば、方法３００は、３１０のステップにおいて、ユーザー１６０がインスタントメッセージクライアントに表示されるマップ上の所在地とスケールレベルを選択する。次いで、３２０のステップにおいて選択された先決条件が広告管理システム１００の所在地マッチングユニット１２０に転送される。３３０のステップにおいて所在地マッチングユニット１２０は広告データベース１１０内のデータを検索してどの広告が選択された先決条件にマッチングするか決定する。３４０のステップにおいて、所在地マッチングユニット１２０は広告データベース１１０からマッチングする広告データをキャプチャし、広告転送ユニット１３０に転送する。３５０のステップにおいて、広告転送ユニット１３０はマッチングした該広告データをユーザー１６０に提供し、該広告がインスタントメッセージクライアントのマップ上に表示される。
【００４７】
図４に、実施例におけるマップを有するインスタントメッセージインタフェースを開示する。図面によれば、インスタントメッセージインタフェース４００は、ツールバー４０５と、テキスト入力ボックス４１０と、ダイアログボックス４１５と、マップディスプレー０４２０を含む。
【００４８】
ツールバー４０５は複数のアイコンを含み、異なるコマンドを起動することができる。テキスト入力ボックス４１０はユーザーがインフォメーションリクエスト、またはレスポンスの入力に供する。ユーザーがテキスト入力ボックス４１０にテキストを入力して送信用のアイコンをクリックすると、テキストによるメッセージが転送される。
【００４９】
マップディスプレー４２０に表示されるマップについて、該マップの解析度は、ナビゲータコントローラ４２５の違いによって異なる。例えば該ナビゲータコントローラが拡大、縮小、左移動。右移動、上移動、下移動の機能を含んでいれば、ユーザーは目標所在地を容易に探し出すことができる。
【００５０】
実施例において、トピックまたはタイプのリストはダイアログに表示される。よって、ユーザーは必要とするデータについてトピックを容易に選択することができる。実施例において、ユーザーが選択するマップ上に表示される広告は、例えば、レストラン、パブ、ブティック、自動車関連業、ガソリンスタンドなどのタイプを含む。ユーザーが特定のタイプを選択すると、そのタイプに関連する広告のみマップ上に表示される。
【００５１】
図５に、他の実施の形態によるタイプのセレクトキーを具えるインスタントメッセージのインタフェースを開示する。図面によれば、インスタントメッセージインタフェース４００は複数のタイプのセレクトキー５３０を含み、これらセレクトキー５３０を選択してクリックすると、関連する広告がマップ上に表示される。例えば、レストランのセレクトキー５３０をクリックすると、レストランに関連する広告のみがマップディスプレーに表示される。
【００５２】
実施例において、ユーザーがテキスト入力ボックスにテキストを入力すると、該テキストの内容はキーワード、タイプ、もしくはタグとなり、関連する広告データがマップ上に表示される。
【００５３】
実施例において、マップ上の所在地は直接選択するため、テキストを入力する必要はない。
【００５４】
以上は、この発明の好ましい実施の形態であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に含まれるものとする。
【図面の簡単な説明】
【００５５】
【図１】実施例における広告管理システムの説明図である。
【図２Ａ】実施例における広告管理システムの他の説明図である。
【図２Ｂ】実施例において広告を位置づける方法を示したフローチャートである。
【図３Ａ】実施例における広告管理システムのその他説明図である。
【図３Ｂ】実施例における広告マッチング方法を示したフローチャートである。
【図４】実施例におけるマップを具えるインスタントメッセージインタフェースの説明図である。
【図５】実施例におけるセレクトキーを具えたインスタントメッセージインタフェースの説明図である。
【符号の説明】
【００５６】
１００  広告管理システム
１１０  広告データベース
１２０  所在地マッチングユニット
１３０  広告転送ユニット
１４０  広告アップロード/プライスユニット
１５０  広告掲載者
１６０  ユーザー
３２５  マップウィンドウ
４００  インスタントメッセージインタフェース
４０５  ツールバー
４１０  テキスト入力ボックス
４１２  アイコン
４１５  ダイアログボックス
４２０  マップディスプレー
４２５  ナビゲータコントローラ
５３０  セレクトキー
【図１】
2009110491.tif 000003
【図２Ａ】
2009110491.tif 000004
【図２Ｂ】
2009110491.tif 000005
【図３Ａ】
2009110491.tif 000006
【図３Ｂ】
2009110491.tif 000007
【図４】
2009110491.tif 000008
【図５】
2009110491.tif 000009